(57)【特許請求の範囲】
【請求項１】
１乃至複数の蓄電池と、前記蓄電池を内部に収納する箱形の筐体と、前記筐体を壁材に固定する固定具とを備え、前記筐体は、前記固定具が取り付けられる面に電線挿通孔が設けられ、前記固定具は、前記壁材に対向する前記筐体の後面に接する平坦部と、前記平坦部の周縁より後方へ立ち上がることにより、前記電線挿通孔に挿通される電線の周囲を囲み且つ前記壁材と前記筐体との隙間を隠す周壁部とを有し、前記平坦部は、前記電線挿通孔と対向する位置に貫通孔が設けられていることを特徴とする蓄電装置。
【請求項２】
前記固定具は、固定ねじによって前記壁材に固定され、前記筐体は、前記固定具の前記平坦部が取り付けられる面と対向する面に開口部を有し、前記平坦部が取り付けられる面には、前記固定ねじの頭部を前記開口部に臨ませる貫通孔が設けられることを特徴とする請求項１記載の蓄電装置。
【発明の詳細な説明】
【技術分野】
【０００１】
本発明は、筐体内に蓄電池を内蔵した蓄電装置に関する。
【背景技術】
【０００２】
近年、太陽光発電システムの普及や非常時の電力確保を目的として、筐体内に蓄電池を内蔵した蓄電装置が普及してきている。例えば、特許文献１には、多数の蓄電池が筐体内に収納された蓄電装置が記載されている。あるいは、金属製の蓄電池収納箱に多数の鉛蓄電池を収納したものも提案されている(特許文献２参照)。
【先行技術文献】
【特許文献】
【０００３】
【特許文献１】特開２０１１−２４９０８１号公報
【特許文献２】特開２００３−３３１８０４号公報
【発明の概要】
【発明が解決しようとする課題】
【０００４】
ところで、蓄電装置が屋内に設置される場合、壁材の下部に幅木があると、蓄電装置と壁材との間に幅木の厚み分だけ隙間が生じてしまう。そのため、蓄電装置の固定強度が低下し、また、蓄電装置から壁材を通して配線される電線が露出して見栄えが良くないという問題があった。
【０００５】
本発明は、上記課題に鑑みて為されたものであり、筐体の固定強度並びに見栄えの向上を図ることを目的とする。
【課題を解決するための手段】
【０００６】
本発明の蓄電装置は、１乃至複数の蓄電池と、前記蓄電池を内部に収納する箱形の筐体と、前記筐体を壁材に固定する固定具とを備え、前記筐体は、前記固定具が取り付けられる面に電線挿通孔が設けられ、前記固定具は、前記壁材に対向する前記筐体の後面に接する平坦部と、前記平坦部の周縁より後方へ立ち上がることにより、前記電線挿通孔に挿通される電線の周囲を囲み且つ前記壁材と前記筐体との隙間を隠す周壁部とを有し、前記平坦部は、前記電線挿通孔と対向する位置に貫通孔が設けられていることを特徴とする。
【０００７】
この蓄電装置において、前記固定具は、固定ねじによって前記壁材に固定され、前記筐体は、前記固定具の前記平坦部が取り付けられる面と対向する面に開口部を有し、前記平坦部が取り付けられる面には、前記固定ねじの頭部を前記開口部に臨ませる貫通孔が設けられることが好ましい。
【発明の効果】
【０００９】
本発明の蓄電装置は、固定具によって筐体が壁材に強固に固定され、しかも、固定具の周壁部で壁材と筐体との隙間が隠されるので、筐体の固定強度並びに見栄えの向上を図ることができるという効果がある。
【図面の簡単な説明】
【００１０】
【図１】本発明の実施形態を示し、設置された状態の断面図である。
【図２】同上の分解斜視図である。
【図３】同上の一部省略した分解斜視図である。
【図４】同上における固定具の斜視図である。
【図５】同上を示し、(ａ)は正面図、(ｂ)は上面図、(ｃ)は右側面図、(ｄ)は背面図である。
【発明を実施するための形態】
【００１１】
以下、図面を参照して本発明に係る蓄電装置の実施形態を詳細に説明する。ただし、以下の説明では図２において前後左右上下の各方向を規定している。
【００１２】
本実施形態の蓄電装置は、図２及び図３に示すように複数(図示例では４つ)の電池モジュール１と、電池モジュール１を保持する保持体(ハウジング２)とを備える。
【００１３】
ハウジング２は、複数のフレームからなるフレームブロックと、複数枚のパネルからなる筐体とで構成される。フレームブロックは、何れも金属製の後側フレーム20及び前側フレーム21、左側フレーム22、右側フレーム23、支持部24で構成される。また筐体は、何れも金属製の後側パネル30及び前側パネル31、左側パネル32、右側パネル33、下側パネル34、上側パネル35で構成される。
【００１４】
前側フレーム21は、矩形の枠部210と、枠部210のほぼ中央に設けられた縦桟211と、枠部210の上下方向に沿って並設された２つの横桟212とを有する。左側フレーム22及び右側フレーム23は、何れも矩形の金属板からなり、前後方向に沿った両端が曲げ起こされることで角樋状に形成され、後述するように長手方向の両端が後側フレーム20の枠部200と前側フレーム21の枠部210にそれぞれねじ止めされる。
【００１５】
左側フレーム22及び右側フレーム23の後端部が後側フレーム20の枠部200にねじ止めされ、左側フレーム22及び右側フレーム23の前端部と支持部24の前端部に前側フレーム21の枠部210がねじ止めされる。ここで、右側の列の電池モジュール１と、右側フレーム23で連結された後側フレーム20及び前側フレーム21の各枠部200，210の右側の枠との間にスペースが形成されており、このスペースに電池モジュール１を制御する制御ユニット６が配設される(図３参照)。この制御ユニット６は、電池モジュール１の電圧や温度を検出し、各電池モジュール１の蓄電状態や故障の有無を監視するものである。ただし、このような制御ユニット６は従来周知であるから詳細な構成や動作の説明は省略する。
【００１６】
また、前列の２つの電池モジュール１と前側フレーム21との間にスペースが形成されており、このスペースに２つの排気ダクト７が左右に並べて配設される。排気ダクト７は、事故などで電池モジュール１に内部短絡が生じた場合に電池モジュール１から放出される高温のガスを安全な温度まで冷却する機能を担うものである。
【００１７】
本実施形態における排気ダクト７は、金属材料によって扁平な矩形箱状に形成され、電池モジュール１に対向する後面の下部に、電池モジュール１の放出口10Cと連通する導入口(図示せず)が開口し、前面の上部に放出口70が開口する。そして、後列の電池モジュール１における後面側の放出口10Cが閉塞され、後列の電池モジュール１における前面側の放出口10Cと前列の電池モジュール１における後面側の放出口10Cが筒状のジョイント(図示せず)で連結される。さらに、前列の電池モジュール１における前面側の放出口10Cと排気ダクト７の導入口とがジョイントで連結される。すなわち、電池モジュール１の放出口10Cから放出される高温のガスがジョイントを介して導入口より排気ダクト７内に導入され、排気ダクト７内を移動する間に外気との熱交換で冷却されるため、放出口70からは低温のガスが放出されることになる。なお、排気ダクト７の放出口70から放出される低温のガスは、各パネル30〜35間の隙間から筐体の外に放出される。
【００１８】
後側パネル30及び前側パネル31は、長方形の金属板における上端及び左右両端が曲げ起こされて構成されている。左側パネル32及び右側パネル33は、短冊状の主部320，330と、主部320，330の上端に連結された略半円筒形の凹部321，331と、凹部321，331の上端に連結された鈎形の角部322，332とを有している。下側パネル34は、長方形の金属板が全周に亘って曲げ起こされて構成されている。また、下側パネル34には上向きに突出する円錐台形状の突部340が２つ設けられており、各突部340の底面にねじ挿通孔が穿孔されている。上側パネル35は、長方形の金属板における前端及び後端がそれぞれ曲げ加工されて構成されている。
【００１９】
また、ハウジング２内において電池モジュール１が収納される収納空間と施工空間を隔絶する配線部カバー５がフレームブロックに取り付けられる。配線部カバー５は、各電池モジュール１の端子部10A，10Bと電線(図示せず)との結線作業が完了した後、後側フレーム20及び前側フレーム21にねじ止めされる。ただし、電池モジュール１の端子部10A，10Bに接続された電線は、配線部カバー５に設けられる挿通孔(図示せず)に挿通されて配線部カバー５で隔絶される収納空間の外に引き出される。
【００２０】
一方、収納空間の外に引き出された電線は、後側フレーム20の両突片203間に配設された取付板205に取り付けられる開閉器８の片側の端子に接続される。さらに開閉器８のもう片側の端子に電線を介して端子台(図示せず)が接続される。端子台も取付板205に取り付けられている。開閉器８は、ハンドル80の操作により、外部から引き込まれて端子台に接続される電線と各電池モジュール１の端子部10A，10Bとを繋ぐ電路を開閉する。そして、開閉器８及び端子台と電線との結線作業が終了すれば、箱形に形成されたセパレータ53が配線部カバー５に取り付けられ、開閉器８と端子台の一部(外部から引き込まれた電線と接続される端子を除く部分)がセパレータ53で覆われる。
【００２１】
また、後側パネル30は、施工空間に臨む上部の右寄りに矩形の電線挿通孔300が貫通している。すなわち、壁材に設けられる通線孔から引き出された電線が電線挿通孔300に挿通されて筐体内に引き込まれ、施工空間に配設されている端子部に結線される。
【００２２】
さらに、後側パネル30は、施工空間に臨む上部の左右両端にそれぞれ２つの孔が上下方向に並べて貫通されている。下側の孔は、後述する固定具９を後側パネル30に固定するためのねじが挿通されるねじ挿通孔301である。一方、上側の孔は、ねじ挿通孔301よりも径の大きい円形に形成され、固定具９を壁材に固定するための固定ねじ96の頭部を施工空間に臨ませるための貫通孔302である。
【００２３】
固定具９は、図４及び図５に示すように長方形の金属板の端部が全周に亘って同じ向きに曲げ起こされてなり、後側パネル30の上部後面に接する平坦部90と、平坦部90の周縁より後方へ立ち上がる周壁部91とを有している。
【００２４】
平坦部90は、中央から右寄りの位置(後側パネル30の電線挿通孔300と前後方向に対向する位置)に、円形の貫通孔92が貫通している。また、平坦部90の左右両端には、それぞれ２つの孔が上下方向に並べて貫通されている。下側の孔は、後側パネル30のねじ挿通孔301に挿通されるねじが締め込まれるねじ孔93である。上側の孔は、木ねじからなる固定ねじ96の軸が挿通される固定ねじ挿通孔94である。ただし、平坦部90における固定ねじ挿通孔94の周囲が略円錐台形状に形成されて後方へ突出している。
【００２５】
次に、本実施形態の蓄電装置の設置手順について、図１を参照して説明する。まず、前側パネル31が外され、ねじ挿通孔301に挿通されるねじ95がねじ孔93に締め込まれることにより、固定具９が後側パネル30の背面上部に固定される。そして、後側パネル30の下部が幅木Ｂに当たるようにして、蓄電装置が床Ｆの上に設置される。
【００２６】
続いて、木ねじからなる固定ねじ96が、後側パネル30の貫通孔302を通して固定具９の固定ねじ挿通孔94に挿通され、壁材Ｗにねじ込まれる。これにより、蓄電装置が固定具９を介して壁材Ｗに強固に固定される。そして、壁材Ｗに設けられる通線孔(図示せず)から引き出された電線が固定具９の貫通孔92及び後側パネル30の電線挿通孔300に挿通されて筐体内に引き込まれ、施工空間に配設されている端子部に結線される。
【００２７】
最後に、前側フレーム21の前面側に前側パネル31が被せられ、左側パネル32及び右側パネル33の角部322，332を介して配線部カバー５にねじ止めされて前側パネル31がフレームブロックに固定される。これにより、蓄電装置の設置作業が完了する。
【００２８】
上述のように、蓄電装置の筐体が固定具９によって壁材Ｗに強固に固定され、且つ固定具９の周壁部91が、電線挿通孔300に挿通される電線の周囲を囲み且つ壁材Ｗと筐体との隙間を隠しているので、筐体の固定強度並びに見栄えの向上を図ることができる。
【００２９】
また、固定具９が取り付けられる後側パネル30と対向する面(前面)には、施工空間が設けられ、前側パネル31が取り外れた状態では、施工空間が前方に開口した開口部となっている。さらに、後側パネル30には、固定具９を壁材Ｗに固定するための固定ねじ96の頭部を開口部(施工空間)に臨ませる貫通孔302が設けられているので、固定具９を蓄電装置の筐体(後側パネル30)に取り付けた状態で固定ねじ96を締め込むことができる。その結果、固定具９を壁材Ｗに固定する際の作業性の向上を図ることができる。
【符号の説明】
【００３０】
１  電池モジュール(蓄電池)
９  固定具
30  後側パネル(筐体)
91  周壁部
300  電線挿通孔
Ｗ  壁材
【図１】
0005967415.tif 000002
【図２】
0005967415.tif 000003
【図３】
0005967415.tif 000004
【図４】
0005967415.tif 000005
【図５】
0005967415.tif 000006